(57)【特許請求の範囲】
【請求項１】
略水平に延びたガイド部を有したフレームと、
前記フレームに設けられ、買い物袋の取っ手が掛けられる第１支持部と、
前記ガイド部に沿って略水平方向に移動可能に前記フレームに設けられ、前記第１支持部に対して少なくとも近付く方向に移動可能であり、前記ガイド部との間に摩擦力を生じさせる摩擦固定部を有し、前記第１支持部に掛けられた取っ手がさらに掛けられる第２支持部と、
を具備したことを特徴とする袋掛けユニット。
【請求項２】
請求項１の記載において、
前記フレームに設けられた他の支持部をさらに備え、
前記フレームは、略鉛直に延びた他のガイド部を有し、前記他の支持部は、前記他のガイド部に沿って略鉛直方向に移動可能であることを特徴とする袋掛けユニット。
【請求項３】
請求項１または請求項２の記載において、
前記取っ手は、輪状に形成されて開口部を有し、
前記第１支持部および前記第２支持部は、前記取っ手の開口部に挿入される突起部を有したことを特徴とする袋掛けユニット。
【発明の詳細な説明】
【技術分野】
【０００１】
本発明の実施形態は、買い物袋を掛けることができる袋掛けユニットに関する。
【背景技術】
【０００２】
例えばスーパーマーケットのような店舗に設置され、レジ袋を開口状態に保持する袋掛けユニットが知られている。
【先行技術文献】
【特許文献】
【０００３】
【特許文献１】特開２００５−２３９１７０号公報
【発明の概要】
【発明が解決しようとする課題】
【０００４】
近年、マイバッグ袋を利用する顧客が増えてきている。ここで、レジ袋やマイバッグ袋の取手部の長さは、袋ごとに異なる。そのため、取っ手が長い場合、店舗に設置された汎用の袋掛けユニットではたるみが生じ、袋保持の機能を果たせないことがある。そこで、取っ手がたるみにくい袋掛けユニットが要望される。
【課題を解決するための手段】
【０００５】
一実施形態によれば、袋掛けユニットは、略水平に延びたガイド部を有したフレームと、前記フレームに設けられ、買い物袋の取っ手が掛けられる第１支持部と、前記ガイド部に沿って略水平方向に移動可能に前記フレームに設けられ、前記第１支持部に対して少なくとも近付く方向に移動可能であり、前記ガイド部との間に摩擦力を生じさせる摩擦固定部を有し、前記第１支持部に掛けられた取っ手がさらに掛けられる第２支持部とを具備した。
【図面の簡単な説明】
【０００６】
【図１】第１実施形態に係る袋掛けユニットを示す斜視図。
【図２】図１中に示された支持部を拡大して示す斜視図。
【図３】図２中に示された支持部のＦ３−Ｆ３線に沿う断面図。
【図４】図２中に示された支持部のＦ４−Ｆ４線に沿う断面図。
【図５】図１中に示された袋掛けユニットの使用状態を示す斜視図。
【図６】図１中に示された袋掛けユニットの使用状態を示す斜視図。
【図７】第２実施形態に係る袋掛けユニットを示す斜視図。
【図８】図７中に示された袋掛けユニットの使用状態を示す斜視図。
【図９】第３実施形態に係る袋掛けユニットを示す斜視図。
【図１０】第４実施形態に係る袋掛けユニットを示す斜視図。
【図１１】第５実施形態に係る袋掛けユニットを示す斜視図。
【発明を実施するための形態】
【０００７】
以下、実施の形態について、図面を参照して説明する。
【０００８】
（第１実施形態）  
図１は、第１実施形態に係る袋掛けユニット１の全体を示す。袋掛けユニット１は、例えばスーパーマーケットなどの店舗に設置される。袋掛けユニット１は、買い物袋２を開口状態に保持する保持具である。
【０００９】
袋掛けユニット１は、例えばセルフＰＯＳ(Point Of Sales)や通常のレジの横、或いは袋詰め場などに設置され、顧客または店員が使用する。なおここで言う買い物袋２とは、店舗から提供されるレジ袋と、顧客が持参するマイバッグ袋の総称である。
【００１０】
図１に示すように。袋掛けユニット１は、載置台３、第１フレーム４、第２フレーム５、第１保持部６、及び第２保持部７を備える。載置台３は、袋掛けユニット１のベースであり、例えば略水平の平面状に広がる上面３ａを有する。図５に示すように、載置台３の上には買い物袋２の底部が載置される。
【００１１】
第１フレーム４及び第２フレーム５は、それぞれ載置台３に設けられ、載置台３の上面３ａに対して起立している。図５に示すように、第１フレーム４及び第２フレーム５は、買い物袋２の両側に分かれるように互いに離れている。
【００１２】
ここで、第１方向Ｘ、第２方向Ｙ、及び第３方向Ｚを定義しておく。第１方向Ｘ及び第２方向Ｙは、載置台３の上面３ａに沿う方向である。第１方向Ｘは、第１フレーム４及び第２フレーム５が互いに離れた方向で、いわゆる左右方向である。第２方向Ｙは、第１方向Ｘに略直交する方向で、いわゆる前後方向である。第３方向Ｚは、第１方向Ｘ及び第２方向Ｙに略直交する方向で、いわゆる鉛直方向である。
【００１３】
図１に示すように、第１フレーム４及び第２フレーム５は、それぞれ第１部分１１、第２部分１２、及び第３部分１３を有し、逆Ｕ字状に形成されている。第１部分１１及び第２部分１２は、載置台３に固定され、略鉛直方向に起立している。第１部分１１及び第２部分１２は、互いに第２方向Ｙに離れている。
【００１４】
第３部分１３は、第１部分１１の上端部と第２部分１２の上端部との間に渡され、この両者の間を繋いでいる。第３部分１３は、第２方向Ｙに沿って略水平に延びている。第３部分１３は、例えば円柱状の外形を有する。第３部分１３は、例えば略全長に亘り、当該第３部分１３の延伸方向に延びた溝１５を有する。第３部分１３は、「ガイド部」の一例である。
【００１５】
図５に示すように、買い物袋２は、袋本体２０と、この袋本体２０に設けられた一対の取っ手（第１取っ手２１、第２取っ手２２）とを有する。第１取っ手２１及び第２取っ手２２は、袋本体２０の左右に分かれて設けられている。第１取っ手２１及び第２取っ手２２は、それぞれ輪状に形成され、その内側に開口部２３を有する。
【００１６】
袋掛けユニット１は、買い物袋２の第１取っ手２１を保持する第１保持部６と、第２取っ手２２を保持する第２保持部７とを有する。第１保持部６は、第１フレーム４に設けられている。第２保持部７は、第２フレーム５に設けられている。
【００１７】
図１に示すように、第１保持部６及び第２保持部７は、それぞれ第１引掛部３１と、第２引掛部３２とを有する。第１引掛部３１は、「第１支持部」の一例である。第２引掛部３２は、「第２支持部」の一例である。
【００１８】
第１引掛部３１及び第２引掛部３２は共に、フレーム４，５の第３部分１３に取り付けられている。図２乃至図４は、第１フレーム４に取り付けられた第１引掛部３１を詳しく示す。なお第２フレーム５に取り付けられた第１引掛部３１、並びに、第１フレーム４及び第２フレーム５に取り付けられた第２引掛部３２は、下記説明する第１引掛部３１と構成が略同じであるのでその詳しい説明は省略する。
【００１９】
図２乃至図４に示すように、第１引掛部３１は、筒部３４、摩擦固定部３５、及び突起部３６を有する。筒部３４は、例えば合成樹脂製である。筒部３４は、筒状に形成され、第３部分１３よりも一回り大きな内径を有する。この筒部３４の内側に第３部分１３が通されている。
【００２０】
これにより、第１引掛部３１は、第３部分１３に案内されて、第３部分１３に沿って略水平方向に移動可能である。筒部３４は、第３部分１３の溝１５に挿入された係合部３７を有する。この係合部３７が溝１５に挿入されることで、筒部３４の回転が防止されている。
【００２１】
摩擦固定部３５は、例えば筒部３４の中間部に設けられている。摩擦固定部３５は、筒部３４よりも摩擦係数の大きな材料、例えばゴムパッキンなどで形成されている。摩擦固定部３５は、例えば筒部３４と略同じ筒状に形成されている。この摩擦固定部３５の内側にも第３部分１３が通されている。
【００２２】
摩擦固定部３５の内径は、筒部３４の内径よりも小さい。摩擦固定部３５の内周面は、第３部分１３の外周面に接する。摩擦固定部３５は、第３部分１３との間に摩擦抵抗を生じさせる。この摩擦抵抗の大きさは、この摩擦抵抗に抗して顧客や店員（以下、ユーザー）が手動で第１引掛部３１を容易に移動させることができるとともに、この第１引掛部３１に掛けられた買い物袋２の取っ手２１を支えることができる大きさに設定されている。
【００２３】
図１及び図２に示すように、突起部３６は、例えば筒部３４に設けられ、袋掛けユニット１の外側に向いて突出している。突起部３６は、買い物袋２の取っ手２１の開口部２３に挿入される。突起部３６は、例えば斜め上方を向いて突出しているが、略水平方向に突出してもよく、略鉛直方向に突出してもよい。
【００２４】
図１に示すように、第２引掛部３２は、第１引掛部３１と同じ第３部分１３に取り付けられている。第２引掛部３２は、第１引掛部３１と同様に、第３部分１３に沿って略水平方向に移動可能である。つまり、第１引掛部３１及び第２引掛部３２は、互いに近付く方向と離れる方向とに移動可能である。すなわち、第１引掛部３１と第２引掛部３２との間に距離は、自由に調整可能である。
【００２５】
次に、図５を参照して、袋掛けユニット１の使用方法を説明する。  
買い物袋２の底部は、載置台３の上に載置される。このため、買い物袋２に詰められた商品の重量の大部分は、載置台３によって受けられる。つまり、買い物袋２の取っ手２１，２２には、買い物袋２に詰められた商品の重量は実質的に掛からない。
【００２６】
買い物袋２の第１取っ手２１は、第１フレーム４の第１引掛部３１及び第２引掛部３２に引っ掛けられる。つまり、第１引掛部３１に掛けられた第１取っ手２１が、さらに第２引掛部３２に掛けられる。より詳しく述べると、第１引掛部３１の突起部３６及び第２引掛部３２の突起部３６が、第１取っ手２１の開口部２３に挿入され、第１取っ手２１を外れないように支持する。
【００２７】
ここで、第１引掛部３１及び第２引掛部３２は、それぞれの摩擦固定部３５によって第３部分１３に対して動かないようになっている。このため、第１引掛部３１及び第２引掛部３２に引っ掛けられた買い物袋２の第１取っ手２１は、その位置が保持される。
【００２８】
同様に、買い物袋２の第２取っ手２２は、第２フレーム５の第１引掛部３１及び第２引掛部３２に引っ掛けられる。これにより、図５に示すように、買い物袋２は、開口状態に保持される。
【００２９】
次に、図６を参照して、図５の買い物袋２に比べて大きな買い物袋２を保持させる場合について説明する。この大きな買い物袋２は、比較的長い取っ手２１，２２を有する。そのため、図５の状態の袋掛けユニット１にこの買い物袋２をそのまま装着すると、取っ手２１，２２がたるんでしまい、買い物袋２が開口状態に保持されにくい。
【００３０】
そこで、図６に示すように、第１引掛部３１及び第２引掛部３２を互いに離れる方向に手動で移動させ、第１引掛部３１と第２引掛部３２との間の距離を大きくする。これにより、長い取っ手２１，２２の余長が吸収され、取っ手２１，２２がたるみにくい。
【００３１】
このような構成の袋掛けユニット１によれば、大きさの異なる種々の買い物袋２を、取っ手２１，２２がたるまない状態で保持することができる。すなわち、本実施形態に係る袋掛けユニット１は、取っ手２１，２２の長短に合わせて第１引掛部３１及び第２引掛部３２の間の距離を手動で調整することができ、これにより取っ手２１，２２の余長を吸収することができる。
【００３２】
換言すれば、第１引掛部３１及び第２引掛部３２の位置を調整することで、買い物袋２の取っ手２１，２２を広げて保持することができ、取っ手２１，２２のたるみを防止することができる。そのため、商品の袋詰め作業の効率を向上させることができる。
【００３３】
本実施形態では、フレーム４，５は、ガイド部として略水平に延びた第３部分１３を有する。第１引掛部３１及び第２引掛部３２は、この第３部分１３に沿って略水平方向に移動可能である。この構成によれば、第１引掛部３１及び第２引掛部３２は、第３部分１３に案内されて、安定して移動可能である。このため、ユーザーの使い勝手が良好である。
【００３４】
本実施形態では、第１引掛部３１及び第２引掛部３２は、第３部分１３との間に摩擦力を生じさせる摩擦固定部３５を有する。この構成によれば、比較的簡単な構成で、第１引掛部３１及び第２引掛部３２の動きを規制することができる。
【００３５】
本実施形態では、第１引掛部３１および第２引掛部３２は、取っ手２１，２２の開口部２３に挿入される突起部３６を有する。この構成によれば、突起部３６によって取っ手２１，２２をより確実に支持することができる。
【００３６】
（第２実施形態）  
次に、第２実施形態に係る袋掛けユニット１について、図７及び図８を参照して説明する。なお上記第１実施形態の構成と同一または類似の機能を有する構成は、同一の符号を付してその説明を省略する。また、下記に説明する以外の構成は、上記第１実施形態と同じである。
【００３７】
図７に示すように、本実施形態に係る第１フレーム４及び第２フレーム５は、それぞれ第４部分４０を有する。第４部分４０は、例えば第１部分１１と第２部分１２の間に配置され、略鉛直方向に延びている。なお第４部分４０は、複数でもよく、一つでもよい。第４部分４０は、当該第４部分４０の延伸方向に延びた溝１５を有する。第４部分４０は、「ガイド部」の一例である。
【００３８】
本実施形態に係る第１保持部６及び第２保持部７は、それぞれ第１摺動部４１、第２摺動部４２、及びアーム４３を有する。第１保持部６のアーム４３には、買い物袋２の第１取っ手２１が引っ掛けられる。第２保持部７のアーム４３には、買い物袋２の第２取っ手２２が引っ掛けられる。
【００３９】
図７に示すように、第１摺動部４１及び第２摺動部４２は、フレーム４，５の第４部分４０に取り付けられている。第１摺動部４１及び第２摺動部４２は、それぞれ筒部３４、及び摩擦固定部３５を有する。筒部３４の内径は、フレーム４，５の第４部分４０よりも一回り大きい。この筒部３４の内側に第４部分４０が通されている。
【００４０】
これにより、第１摺動部４１及び第２摺動部４２は、第４部分４０に案内されて、第４部分４０に沿って略鉛直方向に移動可能である。筒部３４は、第４部分４０の溝１５に挿入された係合部３７を有する。この係合部３７が溝１５に挿入されることで、筒部３４の回転が防止されている。
【００４１】
摩擦固定部３５は、第４部分４０との間に摩擦抵抗を生じさせる。この摩擦抵抗の大きさは、この摩擦抵抗に抗してユーザーが手動で摺動部４１，４２を容易に移動させることができるとともに、アーム４３に掛けられた買い物袋２の取っ手２１，２２を支えることができる大きさに設定されている。
【００４２】
図７に示すように、アーム４３は、第１摺動部４１と第２摺動部４２との間に亘り、袋掛けユニット１の外側に向いて突出している。アーム４３は、買い物袋２の取っ手２１，２２の開口部２３に挿入される。アーム４３は、「突起部」の一例である。
【００４３】
次に、図８を参照して、本実施形態に係る袋掛けユニット１の使用方法を説明する。  
買い物袋２の第１取っ手２１は、第１フレーム４の第３部分１３に掛けられ、この第３部分１３で折り返されるようにして第１保持部６のアーム４３に掛けられる。つまり、第１取っ手２１の基端部は、第１フレーム４の第３部分１３によって支持される。第１取っ手２１の先端部は、第１保持部６のアーム４３によって支持される。
【００４４】
同様に、買い物袋２の第２取っ手２２は、第２フレーム５の第３部分１３に掛けられ、この第３部分１３で折り返されるようにして第２保持部７のアーム４３に掛けられる。つまり、第２取っ手２２の基端部は、第２フレームの第３部分１３によって支持される。第２取っ手２２の先端部は、第２保持部７のアーム４３によって支持される。
【００４５】
本実施形態に係る第３部分１３は、「第１支持部」の一例である。アーム４３は、「第２支持部」の一例である。アーム４３は、第４部分４０に沿って、フレーム４，５の第３部分１３に近付く方向と離れる方向に移動可能である。
【００４６】
例えば比較的大きな買い物袋２を取り付けるときは、第４部分４０に沿って、アーム４３を第３部分１３から離れるように下方に移動させる。これにより、第３部分１３とアーム４３との間の距離を大きくすることができる。
【００４７】
このような構成の袋掛けユニット１によれば、第１実施形態と同様に、大きさの異なる種々の買い物袋２を、取っ手２１，２２がたるまない状態で保持することができる。すなわち、本実施形態に係る袋掛けユニット１は、取っ手２１，２２の長短に合わせて第１摺動部４１及び第２摺動部４２の鉛直方向の位置を手動で調整することができる。つまり、フレーム４，５の第３部分１３とアーム４３との間の距離を調整することができ、これにより取っ手２１，２２の余長を吸収することができる。
【００４８】
本実施形態では、フレーム４，５は、ガイド部として略鉛直に延びた第４部分４０を有する。第１摺動部４１及び第２摺動部４２は、この第４部分４０に沿って略鉛直方向に移動可能である。この構成によれば、アーム４３は、第４部分４０に案内されて、安定して移動可能である。このため、ユーザーの使い勝手が良好である。
【００４９】
（第３実施形態）  
次に、第３実施形態に係る袋掛けユニット１について、図９を参照して説明する。なお上記第１及び第２の実施形態の構成と同一または類似の機能を有する構成は、同一の符号を付してその説明を省略する。また、下記に説明する以外の構成は、上記第１実施形態と同じである。
【００５０】
本実施形態に係る袋掛けユニット１は、第１実施形態に係る構成と、第２実施形態に係る構成とを組み合わせたものである。つまり本実施形態に係る第１保持部６及び第２保持部７は、それぞれ第１引掛部３１、第２引掛部３２、第１摺動部４１、第２摺動部４２、及びアーム４３を有する。
【００５１】
このような構成の袋掛けユニット１によれば、第１実施形態と同様に、大きさの異なる種々の買い物袋２を、取っ手２１，２２がたるまない状態で保持することができる。
【００５２】
さらに本実施形態では、略水平方向に移動可能な第１引掛部３１及び第２引掛部３２と、略鉛直方向に移動可能なアーム４３とを有するので、より様々な大きさの袋に対応することができる。
【００５３】
（第４実施形態）  
次に、第４実施形態に係る袋掛けユニット１について、図１０を参照して説明する。なお上記第１及び第２の実施形態の構成と同一または類似の機能を有する構成は、同一の符号を付してその説明を省略する。また、下記に説明する以外の構成は、上記第３実施形態と同じである。
【００５４】
本実施形態に係る袋掛けユニット１は、摩擦固定部３５を有しない。第１引掛部３１、第２引掛部３２、第１摺動部４１、及び第２摺動部４２は、それぞれ弾性的に支持されている。
【００５５】
図１０に示すように、第１引掛部３１と第２引掛部３２との間には、第１弾性部材５１が設けられている。第１弾性部材５１は、例えば圧縮ばねである。第１弾性部材５１は、第１引掛部３１及び第２引掛部３２を互いに離れる方向に付勢している。
【００５６】
第１弾性部材５１の付勢力は、この付勢力に抗してユーザーが手動で第１弾性部材５１を容易に縮められる大きさに設定されている。第１弾性部材５１が縮められることで、第１引掛部３１及び第２引掛部３２は、互いに近付く方向に移動する。また第１弾性部材５１が縮められた状態から伸ばされることで、第１引掛部３１及び第２引掛部３２は、互いに離れる方向に移動する。
【００５７】
第１フレーム４及び第２フレーム５は、例えば第３部分１３と略平行に配置された第５部分５２を有する。第５部分５２は、略水平に延びている。第４部分４０は、第５部分５２に接続されている。
【００５８】
第１摺動部４１及び第２摺動部４２と第５部分５２との間には、それぞれ第２弾性部材５３が設けられている。第２弾性部材５３は、例えば圧縮ばねである。第２弾性部材５３の上端部は、第５部分５２によって支持されている。第２弾性部材５３は、第１摺動部４１及び第２摺動部４２を、第３部分１３から離れる方向（すなわち下方に向けて）に付勢している。
【００５９】
第２弾性部材５３の付勢力は、この付勢力に抗してユーザーが手動で第２弾性部材５３を容易に縮められる大きさに設定されている。第２弾性部材５３が縮められることで、アーム４３がフレーム４，５の第３部分１３に近付く方向に移動する。また第２弾性部材５３が縮められた状態から伸ばされることで、アーム４３がフレーム４，５の第３部分１３から離れる方向に移動する。
【００６０】
ユーザーは、例えばまず、買い物袋２の第１取っ手２１を第１引掛部３１に引っ掛ける。そして、第２弾性部材５３の付勢力に抗してアーム４３を必要なだけ引き上げ、第１取っ手２１をアーム４３にも掛ける。さらにその後、第１弾性部材５１の付勢力に抗して第２引掛部３２を第１引掛部３１に向けて必要なだけ近付け、第１取っ手２１を第２引掛部３２にも引っ掛ける。
【００６１】
これにより、ユーザーが手を放すと、第１引掛部３１、第２引掛部３２、及びアーム４３は、元の位置に戻ろうとし、第１取っ手２１を広げた状態に保持する。なお、第２取っ手２２についても同様である。
【００６２】
このような構成の袋掛けユニット１によれば、第１実施形態と同様に、大きさの異なる種々の買い物袋２を、取っ手２１，２２がたるまない状態で保持することができる。つまり、第１引掛部３１、第２引掛部３２、及びアーム４３は、弾性部材５１，５３の弾性力によって元の位置に戻ろうとする。この動作により第１取っ手２１の余長が吸収される。このため、第１取っ手２１がたるみのない状態で支持される。
【００６３】
本実施形態では、第１引掛部３１及び第２引掛部３２を互いに離れる方向に付勢する第１弾性部材５１が設けられている。また、フレーム４，５の第３部分１３からアーム４３を離れる方向に付勢する第２弾性部材５３が設けられている。このような構成では、袋掛けユニット１に取り付けられた取っ手２１，２２がこれら弾性部材５１，５３によってより確実に保持される。このため、袋掛けユニット１から取っ手２１，２２が不用意に外れにくく、ユーザーの利便性が高くなる。
【００６４】
なお、袋掛けユニット１は、第１実施形態と同様に、アーム４３及び第２弾性部材５３を有しなくてもよく、また、第２実施形態と同様に、第１引掛部３１、第２引掛部３２、及び第１弾性部材５１を有しなくてもよい。
【００６５】
（第５実施形態）  
次に、第５実施形態に係る袋掛けユニット１について、図１１を参照して説明する。なお上記第１及び第２の実施形態の構成と同一または類似の機能を有する構成は、同一の符号を付してその説明を省略する。また、下記に説明する以外の構成は、上記第１実施形態と同じである。
【００６６】
本実施形態に係る袋掛けユニット１は、第１摺動部４１及び第２摺動部４２に代えて、第１ダンパー６１及び第２ダンパー６２を有する。第１ダンパー６１及び第２ダンパー６２は、例えば油圧ダンパーまたは空気ダンパーである。第１ダンパー６１及び第２ダンパー６２は、シリンダ６３と、このシリンダ６３に挿入されたロッド６４とを有する。
【００６７】
シリンダ６３は、例えば載置台３に立設されている。ロッド６４は、シリンダ６３の中を進退自在である。ロッド６４は、シリンダ６３に支持されて鉛直方向に手動で移動可能である。つまりダンパー６１，６２は、略鉛直方向に伸縮可能である。ロッド６４は、ユーザーが手を離したところでその位置が止まる。
【００６８】
ダンパー６１，６２の内部抵抗の大きさは、この内部抵抗に抗してユーザーが手動でロッド６４を容易に移動させることができるとともに、アーム４３に掛けられた買い物袋２の取っ手２１，２２を支えることができる大きさに設定されている。
【００６９】
第１ダンパー６１のロッド６４と第２ダンパー６２のロッド６４との間には、アーム４３が設けられている。アーム４３は、フレーム４，５の第３部分１３に近付く方向と離れる方向とに移動可能である。本実施形態では、フレーム４，５の第３部分１３は、「第１支持部」の一例である。アーム４３は、「第２支持部」の一例である。
【００７０】
このような構成の袋掛けユニット１によれば、第１実施形態と同様に、大きさの異なる種々の買い物袋２を、取っ手２１，２２がたるまない状態で保持することができる。なお、略鉛直方向に伸縮するダンパー６１，６２に代えて又は加えて、略水平方向に伸縮するとともに買い物袋２の取っ手２１，２２を支持するダンパーを備えてもよい。
【００７１】
以上、本発明の第１乃至第５の実施形態に係る袋掛けユニット１について説明したが、本発明はこれらに限定されるものではない。第１乃至第５の実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【００７２】
上記実施形態では、第１引掛部３１及び第２引掛部３２の両方が移動可能であったが、これに代えて、第１引掛部３１をフレーム４，５に固定するとともに、第２引掛部３２のみを移動可能にしてもよい。
【００７３】
第１引掛部３１及び第２引掛部３２は、第１保持部６及び第２保持部７の両方に設けられる必要は必ずしもなく、いずれか一方の保持部だけに設けられてもよい。つまり、第１保持部６及び第２保持部７のいずれか一方を固定式の保持部とし、他方を第１引掛部３１及び第２引掛部３２を有した可変式の保持部としてもよい。
【００７４】
第１摺動部４１、第２摺動部４２、及びアーム４３は、第１保持部６及び第２保持部７の両方に設けられる必要は必ずしもなく、いずれか一方の保持部だけに設けられてもよい。つまり、第１保持部６及び第２保持部７のいずれか一方を固定式の保持部とし、他方を第１摺動部４１、第２摺動部４２、及びアーム４３を有した可変式の保持部としてもよい。第２支持部は、例えば第４実施形態に示すように、少なくとも第１支持部に近付く方向に移動可能であればよい。
以下に、いくつかの袋掛けユニットを付記する。
[１]、(i)フレームと、(ii)前記フレームに設けられ、買い物袋の取っ手が掛けられる第１支持部と、(iii)前記フレームに設けられ、前記第１支持部に対して少なくとも近付く方向に移動可能であり、前記第１支持部に掛けられた取っ手がさらに掛けられる第２支持部と、を具備したことを特徴とする袋掛けユニット。
[２]、[１]の記載において、前記フレームは、略水平に延びたガイド部を有し、前記第２支持部は、前記ガイド部に沿って略水平方向に移動可能であることを特徴とする袋掛けユニット。
[３]、[１]の記載において、前記フレームは、略鉛直に延びたガイド部を有し、前記第２支持部は、前記ガイド部に沿って略鉛直方向に移動可能であることを特徴とする袋掛けユニット。
[４]、[２]または[３]の記載において、前記第２支持部は、前記ガイド部との間に摩擦力を生じさせる摩擦固定部を有したことを特徴とする袋掛けユニット。
[５]、[２]または[３]の記載において、前記第２支持部を前記第１支持部から離れる方向に付勢する弾性部材を備えたことを特徴とする袋掛けユニット。
[６]、[１]乃至[５]のいずれかの記載において、前記取っ手は、輪状に形成されて開口部を有し、前記第１支持部および前記第２支持部は、前記取っ手の開口部に挿入される突起部を有したことを特徴とする袋掛けユニット。
【符号の説明】
【００７５】
１…袋掛けユニット、２…買い物袋、４，５…フレーム、１３…第３部分、２１，２２…取っ手、３１…第１引掛部、３２…第２引掛部、３５…摩擦固定部、３６…突起部、４３…アーム、５１，５３…弾性部材。
【図１】
0005183700.tif 000002
【図２】
0005183700.tif 000003
【図３】
0005183700.tif 000004
【図４】
0005183700.tif 000005
【図５】
0005183700.tif 000006
【図６】
0005183700.tif 000007
【図７】
0005183700.tif 000008
【図８】
0005183700.tif 000009
【図９】
0005183700.tif 000010
【図１０】
0005183700.tif 000011
【図１１】
0005183700.tif 000012